(57)【要約】      （修正有）【課題】製造が容易になり、費用が節約できるコネクタ用導電端子を提供する。【解決手段】コネクタ用導電端子２は、第１、第２導電端子２１，２２と可撓部材と、を備える。第２導電端子は、基部と、基部から上方向に延在する導入部と、基部から下方向に延在する半田接続部と、基部と導入部とによって囲まれる収納溝とを含む。前記第１導電端子は、前記第２導電端子の収納溝内を上下に第１、第２状態の間で移動する。前記可撓部材は、前記第２導電端子の収納溝に収納され、第１、第２導電端子を連接する。【選択図】図１
0003141137.tif 000002
【実用新案登録請求の範囲】
【請求項１】
基部と、基部から上方向に延在する導入部と、基部から下方向に延在する半田接続部と、基部と導入部とによって囲まれる収納溝と、を含む第２導電端子と、
前記第２導電端子の収納溝内を上下に第１、第２状態の間で移動可能な第１導電端子と、
前記第２導電端子の収納溝に収納され、第１、第２導電端子を連接する可撓部材と、
を備えることを特徴とするコネクタ用導電端子。
【請求項２】
前記第１導電端子は、細長い板状の主体部と、主体部の頂部に設けられる接触部と、それぞれ主体部の底部と中部から横に向かって突出する一対の第１凸状部片と一対の第２凸状部片と、を含むことを特徴とする請求項１に記載のコネクタ用導電端子。
【請求項３】
前記導入部が第１ガイド部と第２ガイド部を有し、第１、第２ガイド部の対応する側辺の間には、第１、第２凸状部片が移動可能なスロットが形成されることを特徴とする請求項２に記載のコネクタ用導電端子。
【請求項４】
前記第１、第２ガイド部には、一側から折り曲がれて形成される一対の第１阻止部が設けられ、前記第１導電端子が下方向に移動して第１状態になる時、第１導電端子の第２凸状部片が該第１阻止部に阻止されることを特徴とする請求項３に記載のコネクタ用導電端子。
【請求項５】
前記前記第１、第２ガイド部には、一側から折り曲がれて形成される一対の第２阻止部が前記第１阻止部の上方に設けられ、前記第１導電端子が上方向に移動して第２状態になる時、第１導電端子の第１、第２凸状部片が、それぞれ第１、第２阻止部に阻止されることを特徴とする請求項４に記載のコネクタ用導電端子。
【請求項６】
前記第２導電端子の半田接続部には、板片状の挿入部と、挿入部の上に設けられる一対の折曲部と、挿入部から下方向に延在する細長い半田脚とを含むことを特徴とする請求項１に記載のコネクタ用導電端子。
【請求項７】
前記可撓部材は、第１導電端子の底部と第２導電端子の基部の間に保持されるバネ体であることを特徴とする請求項１に記載のコネクタ用導電端子。
【考案の詳細な説明】
【技術分野】
【０００１】
本考案は、チップモジュールが配線基板に電気接続されるコネクタに用いられる導電端子に関するものである。
【背景技術】
【０００２】
従来技術のコネクタ用導電端子として、特許文献１に開示された導電端子が知られ、この導電端子は、それぞれ第１、第２凸状部片が設けられる第１、第２導電端子と、第１、第２導電端子の第１、第２凸状部片の間に保持されるバネ体と、第１、第２導電端子とバネ体とを装着する本体部と、を備える。チップモジュールと電気接続可能な第１導電端子は、バネ体によって、第２導電端子に対して上下に移動できる。
【特許文献１】米国特許第７０２５６０２号明細書
【考案の開示】
【考案が解決しようとする課題】
【０００３】
第１、第２導電端子と基部は、独立な三つの部材である。この三つの部材の製造が複雑になり、製造費用が高くなる。
【０００４】
そこで本考案の目的は、上述の従来技術の問題に鑑み、製造が容易になり、費用が節約できるコネクタ用導電端子を提供することにある。
【課題を解決するための手段】
【０００５】
本考案のコネクタ用導電端子は、第１、第２導電端子と可撓部材と、を備える。第２導電端子は、基部と、基部から上方向に延在する導入部と、基部から下方向に延在する半田接続部と、基部と導入部とによって囲まれる収納溝とを含む。前記第１導電端子は、前記第２導電端子の収納溝内で上下に第１、第２状態の間で移動する。前記可撓部材は、前記第２導電端子の収納溝に収納され、第１、第２導電端子を連接する。
【考案の効果】
【０００６】
従来の技術に比較して本考案は以下の効果を有する。本考案の導電端子の第２導電端子と基部とが一体になることによって、製造が容易になり、費用が節約できる。
【考案を実施するための最良の形態】
【０００７】
以下、この考案の実施の形態を添付の図を参照して説明する。
【０００８】
図１〜図３を参照すると、コネクタ用導電端子２は、第１、第２導電端子２１，２２とバネ体２３のような可撓部材とを含む。
【０００９】
図３に示すように、第１導電端子２１は、板状で細長い主体部２１１と、主体部２１１の頂部に設けられる三角形或いはＵ字状の接触部２１１４と、それぞれ主体部２１１の底部と中部から横に向かって突出する一対の第１、第２凸状部片２１１２，２１１３と、を備える。第１、第２凸状部片２１１２，２１１３の下部には傾斜面（標号に示せず）が設けられる。
【００１０】
第２導電端子２２は、基部２２１と、基部２２１から上方向に延在する導入部２２２と、基部２２１から下方向に延在する半田接続部２２３と、を有する。導入部２２２は、互いに対応する第１、第２ガイド部２２２３，２２２４と、基部２２１と第１、第２ガイド部２２２３，２２２４によって囲まれる収納溝２２４と、第１、第２ガイド部２２２３、２２２４の対応する側辺の間に形成されるスロット２２５と、を含む。第１、第２ガイド部２２２３、２２２４には、一側から折り曲げて形成される一対の第１阻止部２２２１と、一対の第２阻止部２２２２とが設けられる。第１阻止部２２２１と第２阻止部２２２２の間の距離の寸法は、第１導電端子２１の第１凸状部片２１１２と第２凸状部片２１１３の間の距離の寸法と同じである。半田接続部２２３には、絶縁性本体（図示せず）に挿入される板片状の挿入部２２３２と、挿入部２２３２の上に設けられる一対の折曲部２２３１と、挿入部２２３２から下方向に延在して配線基板（図示せず）に半田接続される細長い半田脚２２３３とを含む。
【００１１】
図１乃至図３に示すように、該コネクタ用導電端子２を組み立てる時、先ず、第１導電端子２１とバネ体２３とが第２導電端子２２の収納溝２２４に収納される。バネ体２３が第１導電端子２１の第１凸状部片２１１２の底部と第２導電端子２２の基部２２１の間に保持される。第１導電端子２１は、バネ体２３によって、第２導電端子２２の収納溝２２４内を上下に移動できる。同時に、第１導電端子２１の第１、第２凸状部片２１１２，２１１３が導電端子２２のスロット２２５に移動する。第１導電端子２１が下方向に移動して第１状態における時、第２凸状部片２１１３が、第１阻止部２２２１の上部に当接して続き下方向に移動することが阻止される。第１導電端子２１が上方向に移動した第２状態における時、第１、第２凸状部片２１１２，２１１３は、それぞれ第１、第２阻止部２２２１，２２２２の底部に当接して、続いて上方向に移動することが阻止される。
【００１２】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１３】
【図１】本考案における組み立てられたコネクタ用導電端子の斜視図である。
【図２】図１に示すコネクタ用導電端子の他の方向からの斜視図である。
【図３】図１に示すコネクタ用導電端子の分解斜視図である。
【符号の説明】
【００１４】
２  導電端子
２１  第１導電端子
２１１  主体部
２１１２  第１凸状部片
２１１３  第２凸状部片
２１１４  接触部
２２  第２導電端子
２２１  基部
２２２  導入部
２２２１  第１阻止部
２２２２  第２阻止部
２２２３  第１ガイド部
２２２４  第２ガイド部
２２３  半田接続部
２２３１  折曲部
２２３２  挿入部
２２３３  半田脚
２２４  収納溝
２２５  スロット
２３  バネ体
【図１】
0003141137.tif 000003
【図２】
0003141137.tif 000004
【図３】
0003141137.tif 000005